(57)【要約】【課題】転送先が応答した場合に通話料金が発信元に課金されるようにする。【解決手段】転送元着信転送装置２１は、発信元の通信装置３３からの第１の呼に対する応答に先立って、第２の呼を転送先着信転送装置２２へ発信する。また、第２の呼による通話路を介して転送先着信転送装置２２より受信した相手応答通知にしたがい第１の呼に応答し、第１の呼による通話路と第２の呼による通話路とを接続する。一方、転送先着信転送装置２２は、転送元着信転送装置２１から着信した第２の呼に応答すると共に、第３の呼を転送先の通信装置３２へ発信する。また、通信装置３２の応答にしたがい、第２の呼による通話路を介して相手応答通知を送信し、それから、第２の呼による通話路と第３の呼による通話路とを接続する。【選択図】図１
2005045444.tif 000002
【特許請求の範囲】
【請求項１】
発信元からの呼の着信を転送する着信転送システムであって、
転送元に設置される転送元着信転送装置と、転送先に設置される転送先着信転送装置と、を有し、
前記転送元着信転送装置は、前記発信元からの第１の呼の着信を制御する第１の着信制御手段と、前記転送先着信転送装置への第２の呼の発信を制御する第１の転送制御手段と、を有し、
前記転送先着信転送装置は、前記第２の呼の着信を制御する第２の着信制御手段と、前記転送先着信転送装置が収容する通信装置への第３の呼の発信を制御する第２の転送制御手段と、を有し、
前記第１の転送制御手段は、前記第１の着信制御手段の前記第１の呼に対する応答に先立って、前記第２の呼を前記転送先着信転送装置へ発信すると共に、前記転送先着信転送装置から前記第２の呼に対する応答を受信したならば、前記第２の呼による通話路を介して相手応答通知を受信し、
前記第１の着信制御手段は、前記第１の転送制御手段が前記転送先着信転送装置より前記相手応答通知を受信したならば、前記第１の呼に応答して、前記第１の呼による通話路と前記第２の呼による通話路とを接続し、
前記第２の転送制御手段は、前記第２の着信制御手段への前記第２の呼の着信にしたがい、前記第３の呼を前記通信装置へ発信すると共に、前記通信装置から前記第３の呼に対する応答を受信し、
前記第２の着信制御手段は、着信した前記第２の呼に応答すると共に、前記第２の転送制御手段が前記通信装置より前記第３の呼に対する応答を受信したならば、前記第２の呼による通話路を介して前記相手応答通知を送信し、それから、前記第２の呼による通話路と前記第３の呼による通話路とを接続することを特徴とする着信転送システム。
【請求項２】
請求項１記載の着信転送システムであって、
前記第１の着信制御手段は、網側のサービスにより前記第１の呼に付与された発信元情報を受信し、
前記第１の転送制御手段は、前記第２の呼による通話路を介して、前記転送先着信転送装置に前記発信元情報を送信し、
前記第２の着信制御手段は、前記第２の呼による通話路を介して、前記転送元着信転送装置より前記発信元情報を受信し、
前記第２の転送制御装置は、前記第３の呼に、前記第２の着信制御手段が前記転送元着信転送装置より受信した前記発信元情報を付与して、前記通信装置に送信することを特徴とする着信転送システム。
【請求項３】
請求項２記載の着信転送システムであって、
前記転送元着信転送装置、前記転送先着信転送装置、および、前記転送元着信転送装置へ向けて前記第１の呼を発信する通信装置は、公衆回線網に接続されており、且つ、前記転送元着信転送装置、および、前記転送先着信転送装置は、前記公衆回線網が提供する発信元情報の通知サービスに加入していることを特徴とする着信転送システム。
【請求項４】
請求項２記載の着信転送システムであって、
前記転送元着信転送装置、および、前記転送元着信転送装置へ向けて前記第１の呼を発信する通信装置は、公衆回線網に接続されており、且つ、前記転送元着信転送装置は、前記公衆回線網が提供する発信元情報の通知サービスに加入しており、
前記転送元着信転送装置、および、前記転送先着信転送装置は、ＩＰ電話網に接続されていることを特徴とする着信転送システム。
【請求項５】
発信元から着信した呼を、転送先に設置された転送先着信転送装置へ転送する転送元着信転送装置であって、
前記発信元からの呼の着信を制御する着信制御手段と、前記転送先着信転送装置へ呼の発信を制御する転送制御手段と、を有し、
前記転送制御手段は、前記着信制御手段の前記発信元からの呼に対する応答に先立って、前記転送先着信転送装置へ呼を発信すると共に、前記転送先着信転送装置への呼に対する応答を受信したならば、前記転送先着信転送装置への呼による通話路を介して相手応答通知を受信し、
前記着信制御手段は、前記転送制御手段が前記転送先着信転送装置より前記相手応答通知を受信したならば、前記発信元からの呼に応答して、前記発信元からの呼による通話路と、前記転送先着信転送装置への呼による通話路とを接続することを特徴とする転送元着信転送装置。
【請求項６】
転送元に設置された転送元着信転送装置からの呼を、転送先の通信装置へ転送する転送先着信転送装置であって、
前記転送元着信転送装置からの呼の着信を制御する着信制御手段と、前記通信装置への呼の発信を制御する転送制御手段と、を有し、
前記転送制御手段は、前記着信制御手段への前記転送元着信転送装置からの呼の着信にしたがい、前記通信装置へ呼を発信すると共に、前記通信装置への呼に対する応答を受信し、
前記着信制御手段は、前記転送元着信転送装置からの呼に応答すると共に、前記転送制御手段が前記通信装置への呼に対する応答を受信したならば、前記転送元着信転送装置からの呼による通話路を介して相手応答通知を送信し、それから、前記転送元着信転送装置からの呼による通話路と、前記通信装置への呼による通話路とを接続することを特徴とする転送先着信転送装置。
【請求項７】
転送元に設置される転送元着信転送装置および転送先に設置される転送先着信転送装置を用いて、発信元が発信した呼を転送先の通信装置に転送する着信転送方法であって、
前記転送元着信転送装置が、前記発信元からの第１の呼の着信にしたがい、前記第１の呼に対する応答に先立って、第２の呼を前記転送先着信転送装置へ発信するステップと、
前記転送先着信転送装置が、前記転送元着信転送装置から着信した前記第２の呼に応答すると共に、第３の呼を前記通信装置へ発信して、前記第３の呼に対する応答を受信するステップと、
前記転送先着信転送装置が、前記第３の呼に対する応答にしたがい、前記第２の呼による通話路を介して前記相手応答通知を送信し、それから、前記第２の呼による通話路と前記第３の呼による通話路とを接続するステップと、
前記転送元着信転送装置が、前記第２の呼による通話路を介して前記転送先着信転送装置より受信した前記相手応答通知にしたがい、前記第１の呼に応答して、前記第１の呼による通話路と前記第２の呼による通話路とを接続するステップと、を有することを特徴とする着信転送方法。
【発明の詳細な説明】
【０００１】
【発明の属する技術分野】
本発明は、呼の着信を転送する技術に関する。
【０００２】
【従来の技術】
従来より、着信転送機能付きの交換機や電話機が普及している。このような着信転送機能付きの交換機や電話機は、次のようにして着信を転送先に転送する。
すなわち、呼が着信すると、その呼に応答して、擬似呼出音や転送中である旨のメッセージなどをその呼の発信元に送出する。これと共に、予め設定された転送先に発呼し、転送先が応答したならば、当該転送先との通話路を前記発信元との通話路に接続する。これにより、前記発信元および前記転送先間の通話が可能となる。例えば、特許文献１には、転送電話機や構内交換機を経由しても、発信者の電話番号を受信者に伝達できる発信者番号転送装置が開示されている。
【０００３】
【特許文献１】
特開２００１−２９８５０６号公報
【０００４】
【発明が解決しようとする課題】
ところで、従来の着信転送機能付きの交換機や電話機は、上述したように、呼が着信すると、その呼に直ちに応答して、擬似呼出音や転送中である旨のメッセージなどをその呼の発信元に送出している。このため、呼の転送先が応答しない場合であっても、発信元に通話料金が課金されてしまう。
【０００５】
本発明は上記事情に鑑みてなされたものであり、その目的は、呼の転送先が応答した場合にのみ、呼の発信元に通話料金が課金されるようにすることにある。
【０００６】
【課題を解決するための手段】
上記課題を解決するために、本発明は、転送元に転送元着信転送装置を設置すると共に、転送先に転送先着信転送装置を設置する。
【０００７】
そして、前記転送元着信転送装置により、前記発信元からの第１の呼の着信にしたがい、前記第１の呼に対する応答に先立って、第２の呼を前記転送先着信転送装置へ発信する。また、前記第２の呼による通話路を介して前記転送先着信転送装置より受信した相手応答通知にしたがい、前記第１の呼に応答して、前記第１の呼による通話路と前記第２の呼による通話路とを接続する。
【０００８】
また、前記転送先着信転送装置により、前記転送元着信転送装置から着信した前記第２の呼に応答すると共に、第３の呼を前記通信装置へ発信して、前記第３の呼に対する応答を受信する。また、前記第３の呼に対する応答にしたがい、前記第２の呼による通話路を介して前記相手応答通知を送信し、それから、前記第２の呼による通話路と前記第３の呼による通話路とを接続する。
【０００９】
上記の構成により、本発明によれば、転送先の通信装置が応答してから、発信元および転送元着信転送装置間の通話路が確立する。したがって、転送先が応答した場合にのみ、発信元に通話料金が課金されるようにすることができる。
【００１０】
なお、本発明において、網側のサービスにより前記第１の呼に発信元情報が付与されている場合、前記転送元着信転送装置に、前記第２の呼による通話路を介して、前記発信元情報を前記転送先着信転送装置に送信するようにしてもよい。
そして、前記転送先着信転送装置に、前記第２の呼による通話路を介して前記転送元着信転送装置より受信した前記発信元情報を、前記第３の呼に付与して、前記通信装置に送信してもよい。
【００１１】
このようにすることで、呼の着信転送において、当該呼の発信元情報を転送先に通知することが可能となる。
【００１２】
【発明の実施の形態】
以下、本発明の実施の形態について説明する。
【００１３】
図１は本発明の一実施形態が適用された着信転送システムの概略図である。
【００１４】
図示するように、本実施形態の着信転送システムは、転送元の通信装置（電話機や交換機）３１を収容する転送元着信転送装置２１と、転送先の通信装置（電話機や交換機）３２を収容する転送先着信転送装置２２と、を有する。
【００１５】
本実施形態の着信転送システムは、発信者の通信装置３３より発信された通信装置３１宛の呼を、公衆回線網（ＰＳＴＮ）１を介して、転送元着信転送装置２１から転送先着信転送装置２２に転送する。
【００１６】
この際、転送元着信転送装置２１は、発信者の通信装置３３からの呼に対する応答に先立って、転送先着信転送装置２２に呼を発信して転送先着信転送装置２２との間に通話路を確立する。それから、この通話路を介して、転送先着信転送装置２１から転送先の通信装置３２が応答した旨を示す相手応答通知が送られてくるのを待つ。そして、該通知を受け取ったならば、発信者の通信装置３３からの呼に応答して通信装置３３との間に通話路を確立し、この通話路を転送先着信転送装置２２との間の通話路に接続する。一方、転送先着信転送装置２２は、転送元着信転送装置２１から着信した呼に応答すると共に、転送先の通信装置３２に呼を発信する。通信装置３２より呼に対する応答を受信したならば、転送元着信転送装置２１との間に確立されている通話路を介して相手応答通知を送信すると共に、この通話路を転送先の通信装置３２との間の通話路に接続する。
【００１７】
また、転送元着信転送装置２１は、公衆回線網１側のサービスによって通信装置３３より発信された呼に付与されている発信者情報（電話番号や名称）を、転送先着信転送装置２２に通知する。一方、転送先着信転送装置２２は、公衆回線網１側のサービスによって着信した呼に付与されている発信者情報により、発信者が転送元着信転送装置２１であることを認識する。そして、転送元着信転送装置２１との間に確立されている通話路を介して、この転送元着信転送装置２２に着信した呼の発信者情報（通信装置３３の情報）を入手して、自身が収容する通信装置３２に知らせる。
【００１８】
なお、発信元の電話番号や名称などの発信元情報を着信側に通知する公衆回線網側のサービスとして、例えばＮＴＴ東日本（株）の商品であるナンバーディスプレイやネームディスプレイなどがある。
【００１９】
次に、転送元着信転送装置２１についてより詳細に説明する。
【００２０】
図２は、転送元着信転送装置２１の概略構成図である。
【００２１】
図示するように、本実施形態の転送元着信転送装置２１は、公衆回線網１と通信を行なうためのインターフェースである公衆回線網側ＩＦ部２１１と、通信装置３１と通信を行なうためのインターフェースである通信装置側ＩＦ部２１２と、主制御部２１３と、を有する。
【００２２】
主制御部２１３は、公衆回線網側ＩＦ部２１１および通信装置側ＩＦ部２１２を制御して、公衆網回線網１および通信装置３１間の通話の中継や、公衆網回線網１より着信した呼の転送などを制御する。図示するように、発信制御部２１４と、着信制御部２１５と、転送制御部２１６と、転送元／転送先記憶部２１７と、発信元記憶部２１８と、データ設定部２１９と、を有する。
【００２３】
転送元／転送先記憶部２１７には、着信転送すべき対象毎に、転送元および転送先の宛先情報（電話番号等）が記憶される。
【００２４】
発信元記憶部２１８には、公衆回線網１より呼が着信した場合に、公衆回線網１側のサービスによりその呼に付与されている発信者情報が記憶される。
【００２５】
データ設定部２１９は、着信転送を行なうべき転送元および転送先の宛先情報の登録、削除、変更指示を、通信装置側ＩＦ部２１２を介して通信装置３１より受け付ける。そして、受け付けた指示に従い、転送元／転送先記憶部２１７の登録内容を更新する。
【００２６】
発信制御部２１４は、公衆回線網側ＩＦ部２１１および通信装置側ＩＦ部２１２を制御して、通信装置３１が発信した呼を公衆回線網１に中継する。また、この呼による公衆回線網１および通信装置３１間の通話を中継する。
【００２７】
着信制御部２１５は、公衆回線網側ＩＦ部２１１および通信装置側ＩＦ部２１２を制御して、公衆回線網１より着信した呼を通信装置３１に中継する。また、この呼による公衆回線網１および通信装置３１間の通話を中継する。ただし、公衆回線網１より着信した呼の宛先が、転送元／転送先記憶部２１７に転送元として記憶されている場合、転送制御部２１６と連携し、この宛先に対応する転送先へこの呼を転送する処理を行なう。
【００２８】
転送制御部２１６は、着信制御部２１５と連携し、着信制御部２１５に着信した呼を、この呼の宛先に対応する転送先へ転送する処理を行なう。この際、公衆回線網１側のサービスにより着信制御部２１５に着信した呼に付与されている発信者情報を、転送先に通知する処理も行なう。
【００２９】
図３は、転送元着信転送装置２１の着信処理を説明するためのフロー図である。このフローは、公衆回線網側ＩＦ部２１１を介して、着信制御部２１５に呼（第１の呼とする）が着信すると開始される。
【００３０】
まず、着信制御部２１５は、公衆回線網１より着信した第１の呼の宛先が、転送元／転送先記憶部２１７に転送元として記憶されているか否かを調べる（Ｓ３００１）。転送元として記憶されていない場合は、通信装置側ＩＦ部２１２を制御して、第１の呼を通信装置３１に中継する。また、第１の呼による公衆回線網１および通信装置３１間の通話を中継する（Ｓ３００２）。
【００３１】
一方、Ｓ３００１において、転送元として記憶されている場合、着信制御部２１５は、公衆回線網１側のサービスにより第１の呼に付与されている発信者情報を入手する。そして、発信者情報を呼の宛先情報と共に、発信元記憶部２１８に記憶する（Ｓ３００３）。
【００３２】
次に、転送制御部２１６は、発信元記憶部２１８に記憶されている第１の呼の宛先情報および発信者情報を入手する。そして、転送元／転送先記憶部２１７の転送元の情報の中から入手した第１の呼の宛先情報を検索し、この第１の呼の転送先を特定する（Ｓ３００４）。
【００３３】
それから、転送制御部２１６は、公衆回線網側ＩＦ部２１１を制御して、特定した転送先を宛先とする呼（第２の呼とする）を、公衆回線網１へ発信する（Ｓ３００５）。そして、転送先との間に通話路（第２の通話路とする）が確立するのを待つ（Ｓ３００６）。
【００３４】
さて、転送制御部２１６は、第２の通話路が確立したならば、この通話路を用いて、発信元記憶部２１８より入手した発信者情報を、例えばモデム信号により転送先に通知する（Ｓ３００７）。その後、第２の通話路を介して転送先より、転送先が収容する通信装置が応答したことを示す相手応答通知が、例えばモデム信号として送られてくるのを待つ（Ｓ３００８）。そして、相手応答通知を受信したならば、その旨を着信制御部２１６に通知する。
【００３５】
これを受けて、着信制御装置２１５は、第１の呼に応答して、公衆回線網１との間に通話路（第１の通話路とする）を確立する（Ｓ３００９）。それから、この第１の通話路と、Ｓ３００６で確立した第２の通話路との間を中継する（Ｓ３０１０）。これにより、公衆回線網１より着信した呼が転送先に転送される。
【００３６】
次に、転送先着信転送装置２２についてより詳細に説明する。
【００３７】
図４は、転送先着信転送装置２２の概略構成図である。
【００３８】
図示するように、本実施形態の転送先着信転送装置２２は、公衆回線網１と通信を行なうためのインターフェースである公衆回線網側ＩＦ部２２１と、通信装置３２と通信を行なうためのインターフェースである通信装置側ＩＦ部２２２と、主制御部２２３と、を有する。
【００３９】
主制御部２２３は、公衆回線網側ＩＦ部２２１および通信装置側ＩＦ部２２２を制御して、公衆網回線網１および通信装置３２間の通話を制御する。図示するように、発信制御部２２４と、着信制御部２２５と、転送呼発信元記憶部２２６と、転送元記憶部２２７と、データ設定部２２８と、転送制御部２２９と、を有する。
【００４０】
転送元記憶部２２７には、着信転送を行なう転送元の宛先情報が記憶される。
【００４１】
転送呼発信元記憶部２２６には、着信転送の転送元より通知された発信者情報が記憶される。
【００４２】
データ設定部２２８は、着信転送を行なう転送元の宛先情報の登録、削除、変更指示を、通信装置側ＩＦ部２２２を介して通信装置３２より受け付ける。そして、受け付けた指示に従い、転送元記憶部２２７の登録内容を更新する。
【００４３】
発信制御部２２４は、公衆回線網側ＩＦ部２２１および通信装置側ＩＦ部２２２を制御して、通信装置３２が発信した呼を公衆回線網１に中継する。また、この呼による公衆回線網１および通信装置３２間の通話を中継する。
【００４４】
着信制御部２２５は、公衆回線網側ＩＦ部２２１および通信装置側ＩＦ部２２２を制御して、公衆回線網１より着信した呼を通信装置３２に中継する。また、この呼による公衆回線網１および通信装置３２間の通話を中継する。
【００４５】
ただし、公衆回線網１側のサービスによりその呼に付与されている発信者情報が、転送元記憶部２２７に転送元として記憶されている場合、その呼は転送元より転送された呼である。この場合、着信制御装置２２５は、転送制御部２２９と連携し、転送された呼の発信者情報を通信装置３２に通知する。
【００４６】
転送制御部２２９は、着信制御装置２２５と連携し、ＬＥＤなどの表示部の点灯を制御して、着信した呼が転送元より転送された呼であることをユーザに知らせる処理を行う。また、この転送された呼の発信者情報（転送元に着信した呼の発信者情報）を、通信装置３２に通知する処理を行なう。
【００４７】
図５は、転送先着信転送装置２２の着信処理を説明するためのフロー図である。このフローは、公衆回線網側ＩＦ部２１１を介して、着信制御部２１５に呼が着信すると開始される。
【００４８】
まず、着信制御部２２５は、公衆回線網１側のサービスによって、公衆回線網１より着信した呼に付与されている発信者情報を入手する（Ｓ５００１）。そして、入手した発信者情報が、転送元記憶部２２７に、転送元の宛先情報として記憶されているか否か、つまり、着信した呼が転送元着信転送装置２１より発せられた第２の呼であるか否かを調べる（Ｓ５００２）。
【００４９】
Ｓ５００２において、入手した発信者情報が転送元として記憶されていない場合、つまり、公衆回線網１より着信した呼が第２の呼でない場合、着信制御部２２５は、通信装置側ＩＦ部２１２を制御して、この発信者情報が付与された呼を通信装置３２に中継する（Ｓ５００３）。そして、通信装置３２が呼に応答したならば（Ｓ５００４）、公衆回線網１および通信装置３２間の通話を中継する（Ｓ５００５）。
【００５０】
一方、Ｓ５００２において、入手した発信者情報が転送元として記憶されている場合、つまり、公衆回線網１より着信した呼が第２の呼である場合、転送制御部２２９は、ＬＥＤなどの表示部を点灯させることにより、着信した呼が転送元着信転送装置２１より転送された呼であることをユーザに知らせる（Ｓ５００６）。また、着信制御部２２５は、この第２の呼に応答すると共に（Ｓ５００７）、この応答によって確立された第２の通話路を用いて、転送元着信転送装置２１より、転送元着信転送装置２１に着信した呼つまり第１の呼の発信者情報を入手する（Ｓ５００８）。
【００５１】
次に、転送制御部２２９は、通信装置側ＩＦ部２１２を制御し、通信装置３２に呼（第３の呼とする）を発信する。この際、Ｓ５００８で入手した発信者情報を、公衆回線網１側のサービスにより第３の呼に付与された発信者情報として、通信装置３２に通知する（Ｓ５００９）。そして、通信装置３２が第３の呼に応答し、転送先着信転送装置２２および通信装置３２間に通話路（第３の通話路とする）が確立するのを待つ（Ｓ５０１０）。
【００５２】
次に、着信制御部２２５は、通信装置３２間との間に第３の通話路が確立したならば、既に確立している第２の通話路を用いて、転送元着信転送装置２１に相手先応答通知を送信する（Ｓ５０１１）。それから、第３の通話路を、この第２の通話路に接続する（Ｓ５０１２）。これにより、転送元着信転送装置２１および通信装置３２間の通話を中継する。また、通信装置３２に、転送元の発信者情報ではなく、この転送元に対する発信者の発信者情報が通知される。
【００５３】
なお、上記構成の転送元着信転送装置２１、転送先着信転送装置２２は、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔｓ）、ＦＰＧＡ（Ｆｉｅｌｄ  Ｐｒｏｇｒａｍｍａｂｌｅ  Ｇａｔｅ  Ａｒｒａｙ）などの集積ロジックＩＣによりハード的に実現されるものでもよいし、あるいは、ＤＳＰ（Ｄｉｇｉｔａｌ  Ｓｉｇｎａｌ  Ｐｒｏｃｅｓｓｏｒ）などの計算機によりソフトウエア的に実現されるものでもよい。もしくは、ＣＰＵ、メモリなどを備えた一般的なコンピュータシステムに、公衆回線網１および通信装置３１、３２とのインターフェースカードを搭載させ、このコンピュータシステムに、所定のプログラムを実行させることで実現するようにしてもよい。
【００５４】
次に、図１に示す着信転送システムの動作について、通信装置３３から発信された通信装置３１宛の呼を、転送元着信転送装置２１および転送先着信転送装置２２を用いて、通信装置３２に転送する場合を例にとり説明する。
【００５５】
図６は、図１に示す着信転送システムの動作を説明するためのシーケンス図である。
【００５６】
先ず、通信装置３３は、通信装置３１を宛先とする第１の呼を発信する（Ｓ６００１）。公衆回線網１は、第１の呼に発信者である通信装置３３の発信者情報を付与して（Ｓ６００２）、通信装置３３に送信する（Ｓ６００３）。これと共に、通信装置３３に対して呼出音を送出する（Ｓ６００４）。
【００５７】
転送元着信転送装置２１は、公衆回線網１を介して通信装置３１宛の第１の呼を受信すると、公衆回線網１側のサービスにより第１の呼に付与された通信装置３３の発信者情報を入手し記憶する（Ｓ６００５）。また、転送元着信転送装置２１は、転送先である通信装置３２を宛先とする第２の呼を発信する（Ｓ６００６）。公衆回線網１は、第２の呼に発信者である転送元着信転送装置２１（通信装置３１）の発信者情報を付与して（Ｓ６００７）、この第２の呼を通信装置３２に送信する（Ｓ６００８）。これと共に、転送元着信転送装置２１に対して呼出音を送出する（Ｓ６００９）。
【００５８】
一方、転送先着信転送装置２２は、公衆回線網１を介して通信装置３２宛の第２の呼を受信すると、公衆回線網１側のサービスにより第２の呼に付与された発信者情報を入手し（Ｓ６０１０）、これにより、この第２の呼が転送元着信転送装置２１（通信装置３１）より発信された着信転送のための呼であることを認識する。そして、この第２の呼に応答して（Ｓ６０１１）、転送先着信転送装置２２と転送元着信転送装置２１との間に第２の通話路を確立する（Ｓ６０１２）。
そして、この第２の通話路を介して、転送元着信転送装置２１より、第１の呼の発信者である通信装置３３の発信者情報を入手する（Ｓ６０１３）。それから、ＬＥＤなどの表示部を点灯制御して、転送元着信転送装置２１から転送された呼が着信した旨を知らせる（Ｓ６０１４）。
【００５９】
次に、転送先着信転送装置２２は、通信装置３２を宛先とする第３の呼を生成し、通信装置３２が公衆回線網１より発信者情報を入手するための規格に従って、これにＳ６０１３、Ｓ６０１４で入手した第１の呼の発信者である通信装置３３の発信者情報を付与する（Ｓ６０１５）。それから、この第３の呼を通信装置３２に送信する（Ｓ６０１６）。
【００６０】
これにより、通信装置３２は、転送先着信転送装置２２によって第３の呼に付与された発信者情報を、公衆回線網１側のサービスにより付与された発信者情報と同じ扱いにより入手し、ユーザに通知することができる（Ｓ６０１７）。
【００６１】
さて、通信装置３２が応答し（Ｓ６０１８）、転送先着信転送装置２２および通信装置３２間に第３の通話路が確立されると（Ｓ６０１９）、転送先着信転送装置２２は、第２の通話路を介して相手応答通知を、転送元着信転送装置２１に送信する（Ｓ６０２０）。また、第２の通話路および第３の通話路を接続して、転送元着信転送装置２１および通信装置３２間の通話を中継する（Ｓ６０２１）。
【００６２】
一方、転送元着信転送装置２１は、第２の通話路を介して転送先着信転送装置２２より相手応答通知を受信すると、第１の呼に応答する（Ｓ６０２２）。これにより、通信装置３３との間に第１の通話路が確立される（Ｓ６０２３）。それから、転送元着信転送装置２１は、第１の通話路および第２の通話路を接続して、通信装置３３および転送先着信転送装置２２間の通話を中継する。これにより、通信装置３３および通信装置３２間の通話が中継される（Ｓ６０２４）。
【００６３】
次に、転送元、転送先着信転送装置２１、２２による、公衆回線網１側のサービスにより付与された発信者情報の入手処理（図６のＳ６００５、Ｓ６０１０）の一例について説明する。
【００６４】
図７は、転送元、転送先着信転送装置２１、２２による、公衆回線網１側のサービスにより付与された発信者情報の入手処理（図６のＳ６００５、Ｓ６０１０）の一例を説明するためのシーケンス図である。
【００６５】
公衆回線網１がアナログ網である場合、図７（ａ）に示すように、着信転送装置２１、２２は、公衆回線網１のＬ１、Ｌ２極性反転を検知し（Ｓ７００１）、そして、公衆回線網１より情報受信端末起動信号を検知すると（Ｓ７００２）、公衆回線網１に１次応答信号を発信する（Ｓ７００３）。
【００６６】
これを受けて、公衆回線網１は、モデム信号により発信者情報を、着信転送装置２１、２２に通知する（Ｓ７００４）。これにより、着信転送装置２１、２２は、発信者情報を入手する。次に、着信転送装置２１、２２は、発信者情報の受信が完了すると、公衆回線網１に受信完了信号を発信する（Ｓ７００５）。これを受けて、公衆回線網１は、第１呼出信号を、着信転送装置２１、２２に通知する（Ｓ７００６）。
【００６７】
次に、着信転送装置２１、２２は、公衆回線網１に２次応答信号（図６のＳ６０１１、Ｓ６０２２に相当）を発信する（Ｓ７００７）。それから、着信転送装置２１、２２は、公衆回線網１のＬ１、Ｌ２極性復転を検知する（Ｓ７００８）。これにより、公衆回線網１との間に通話路（図６のＳ６０１２、Ｓ６０２３に相当）が確立される（Ｓ７００９）。
【００６８】
一方、公衆回線網１がＩＳＤＮ網である場合、図７（ｂ）に示すように、着信転送装置２１、２２は、公衆回線網１より発信者情報を含む呼設定メッセージを受信する（Ｓ７１０１）。これにより、発信者情報を入手する。次に、着信転送装置２１、２２は、呼設定受付メッセージを公衆回線網１に通知する（Ｓ７１０２）。これを受けて、公衆回線網１は、呼出信号を、着信転送装置２１、２２に通知する（Ｓ７１０３）。
【００６９】
次に、着信転送装置２１、２２は、公衆回線網１に応答メッセージ（図６のＳ６０１１、Ｓ６０２２に相当）を送信する（Ｓ７１０４）。これを受けて、公衆回線網１は、着信転送装置２１、２２に、応答確認メッセージを送信する（Ｓ７１０５）。これにより、公衆回線網１との間に通話路（図６のＳ６０１２、Ｓ６０２３に相当）が確立される（Ｓ７１０６）。
【００７０】
次に、通信装置３２による、転送先着信転送装置２２により付与された発信者情報の入手処理（図６のＳ６０１７）の一例について説明する。
【００７１】
この処理は、図７に示すシーケンス図において、公衆回線網１を転送先着信転送装置２２に、そして、着信転送装置２１、２２を通信装置３２に、それぞれ置き換えたものと同じである。
【００７２】
すなわち、転送先着信転送装置２２および通信装置３２間の通信線がアナログ回線である場合、転送先着信転送装置２２は、このアナログ回線のＬ１、Ｌ２極性を反転し（Ｓ７００１）、その後、情報受信端末起動信号を送出する（Ｓ７００２）。これを受けて、通信装置３２は、１次応答信号を発信する（Ｓ７００３）。
【００７３】
次に、転送先着信転送装置２２は、モデム信号により発信者情報を、通信装置３２に通知する（Ｓ７００４）。通信装置３２は、発信者情報の受信が完了すると、転送先着信転送装置２２に受信完了信号を発信する（Ｓ７００５）。これを受けて、転送先着信転送装置２２は、第１呼出信号を、通信装置３２に通知する（Ｓ７００６）。
【００７４】
次に、通信装置３２は、第２着信転送２２に２次応答信号（図６のＳ６０１８に相当）を発信する（Ｓ７００７）。これを受けて、転送先着信転送装置２２は、Ｌ１、Ｌ２極性を復転する（Ｓ７００８）。これにより、転送先着信転送装置２２および通信装置３２間に通話路（図６のＳ６００１９に相当）が確立される（Ｓ７００９）。
【００７５】
一方、転送先着信転送装置２２および通信装置３２間の通信線がＩＳＤＮ網である場合、転送先着信転送装置２２は、このＩＳＤＮ回線に発信者情報を含む呼設定メッセージを受信する（Ｓ７１０１）。これにより、通信装置３２は発信者情報を入手する。次に、通信装置３は、呼設定受付メッセージを転送先着信転送装置２２に通知する（Ｓ７１０２）。これを受けて、転送先着信転送装置２２は、呼出信号を、通信装置３２に通知する（Ｓ７１０３）。
【００７６】
次に、通信装置３２は、転送先着信転送装置２２に応答メッセージ（図６のＳ６０１８に相当）を送信する（Ｓ７１０４）。これを受けて、転送先着信転送装置２２は、通信装置３２に、応答確認メッセージを送信する（Ｓ７１０５）。これにより、転送先着信転送装置２２および通信装置３２間に通話路（図６のＳ６００１９に相当）が確立される（Ｓ７０１６）。
【００７７】
以上、本発明の一実施形態について説明した。
【００７８】
本実施形態では、以上の構成により、発信元の通信装置３３が通信装置３１に呼を発信した場合、転送元着信制御装置２１および転送先着信制御装置２２の動作により、転送先の通信装置３２が応答してから、発信元の通信装置３３および転送元着信転送装置２１間の第１の通話路が確立する。したがって、転送先が応答した場合にのみ、発信元に通話料金が課金されるようにすることができる。
【００７９】
また、本実施形態では、転送元着信転送装置２１から転送先着信転送装置２２へ、転送元着信転送装置２１に着信した呼に付与されていた通信装置３３の発信者情報が、公衆回線網１側のサービスとは別に通知される。したがって、本実施形態によれば、通信装置３３の発信者情報を転送先着信転送装置２２に通知することができる。また、本実施形態において、転送先着信転送装置２２は、着信した呼の発信者が転送元着信転送装置２１である場合、ＬＥＤなどの表示部を点灯している。これにより、着信した呼が転送元着信転送装置２１より着信転送された呼であることを、ユーザに知らせることができる。
【００８０】
なお、本発明は上記の実施形態に限定されるものではなく、その要旨の範囲内で数々の変形が可能である。
【００８１】
たとえば、上記の実施形態において、転送元着信転送装置２１および転送先着信転送装置２２の代わりに、転送元着信転送装置２１および転送先着信転送装置２２の両方の機能を備えた着信転送装置を、それぞれ、通信装置３１と公衆回線網１との間、および、通信装置３２と公衆回線網１との間に設置するようにしてもよい。
【００８２】
また、上記の実施形態では、転送元着信転送装置２１と転送先着信転送装置２２との間が公衆回線網１を介して接続されている場合を例にとり説明した。しかし、本発明はこれに限定されない。
【００８３】
例えば、図８に示すように、転送元着信転送装置２１と転送先着信転送装置２２との間がＩＰ（Ｉｎｔｅｒｎｅｔ  Ｐｒｏｔｏｃｏｌ）電話網４を介して接続されている場合にも、本発明は同様に適用できる。この場合、転送先着信転送装置２２には、公衆回線網１とのインターフェースに代えてＩＰ（Ｉｎｔｅｒｎｅｔ  Ｐｒｏｔｏｃｏｌ）電話網４とのインターフェースが必要になる。また、転送元着信転送装置２１には、公衆回線網１とのインターフェースに加えて、ＩＰ電話網４とのインターフェースが必要となる。
【００８４】
また、転送元着信転送装置２１から転送先着信転送装置２２への発信者情報の通知は、Ｈ．３２３やＳＩＰ（Ｓｅｓｓｉｏｎ  Ｉｎｉｔｉａｔｉｏｎ  Ｐｒｏｔｏｃｏｌ）により、転送元着信転送装置２１および転送先着信転送装置２２間に確立された通話路を利用して行なえばよい。あるいは、ＳＩＰのＦＳ（Ｆｉｒｓｔ  Ｓｔａｒｔ）手順を利用して、通話路確立前に行なえるようにしてもよい。
【００８５】
また、上記の実施形態において、転送元、転送先着信転送装置２１、２２は、交換機や固定電話機などの据置型のみならず、携帯電話機などの通信装置３１、３２にも適用可能である。この場合、着信転送装置２１、２２の公衆回線網１とのインターフェースは、無線インターフェースとなる。また、この場合は、着信転送装置２１、２２は、携帯電話機に装着可能なアダプタ形式とするとよい。
【００８６】
【発明の効果】
以上説明したように、本発明によれば、転送先が応答した場合にのみ、発信元に通話料金が課金されるようにすることができる。
【図面の簡単な説明】
【図１】本発明の一実施形態が適用された着信転送システムの概略図である。
【図２】転送元着信転送装置２１の概略構成図である。
【図３】転送元着信転送装置２１の動作を説明するためのフロー図である。
【図４】転送先着信転送装置２２の概略構成図である。
【図５】転送先着信転送装置２２の動作を説明するためのフロー図である。
【図６】図１に示す着信転送システムの動作を説明するためのシーケンス図である。
【図７】着信転送装置２１、２２による、公衆回線網１側のサービスにより付与された発信者情報の入手処理の一例を説明するためのシーケンス図である。
【図８】本発明の一実施形態が適用された着信転送システムの変形例を示す図である。
【符号の説明】
１…公衆回線網、４…ＩＰ電話網、２１…転送元着信転送装置、２２…転送先着信転送装置、３１…通信装置、３２…通信装置、３３…通信装置、２１１…公衆回線網ＩＦ部、２１２…通信装置側ＩＦ部、２１３…主制御部、２１４…発信制御部、２１５…着信制御部、２１６…転送制御部、２１７…転送元／転送先記憶部、２１８…発信元記憶部、２１９…データ設定部、２２１…公衆回線網ＩＦ部、２２２…通信装置側ＩＦ部、２２３…主制御部、２２４…発信制御部、２２５…着信制御部、２２６…転送呼発信元記憶部、２２７…転送元記憶部、２２８…データ設定部、２２９…転送制御部
【図１】
2005045444.tif 000003
【図２】
2005045444.tif 000004
【図３】
2005045444.tif 000005
【図４】
2005045444.tif 000006
【図５】
2005045444.tif 000007
【図６】
2005045444.tif 000008
【図７】
2005045444.tif 000009
【図８】
2005045444.tif 000010